(57)【要約】【課題】  重水素含有ガスのベースとなるガスが空気以外のガスであっても、また、ベースとなるガスの組成比が変動しても重水素濃度を正確に管理することができる光ファイバの処理方法を提供する。【解決手段】  光ファイバ２を収容した反応槽１ａ内に重水素含有ガスを導入して、光ファイバ２を重水素含有ガス雰囲気に曝す重水素処理工程を備えた光ファイバの処理方法であって、重水素処理工程において、反応槽１ａ内の重水素含有ガス中の重水素濃度の初期値Ａと、反応槽１ａの周囲の雰囲気中の酸素の濃度Ｂと、反応槽１ａ内の重水素含有ガス中の酸素の濃度Ｃとから、重水素処理中の反応槽１ａ内の重水素濃度Ｄを算出し、算出された重水素濃度Ｄに基づいて、反応槽１ａ内の重水素濃度を制御する。【選択図】        図１
2005208586.tif 000002
【特許請求の範囲】
【請求項１】
光ファイバを収容した処理容器内に重水素含有ガスを導入して、前記光ファイバを重水素含有ガス雰囲気に曝す重水素処理工程を備えた光ファイバの処理方法であって、
前記重水素処理工程において、前記処理容器内の重水素含有ガス中の重水素濃度の初期値Ａと、前記処理容器の周囲の雰囲気中の酸素の濃度Ｂと、前記処理容器内の重水素含有ガス中の酸素の濃度Ｃとから、重水素処理中の前記処理容器内の重水素濃度Ｄを算出し、該算出された重水素濃度Ｄに基づいて、前記処理容器内の重水素濃度を制御することを特徴とする光ファイバの処理方法。
【請求項２】
光ファイバを収容した処理容器内に水素含有ガスを導入して、前記光ファイバを水素含有ガス雰囲気に曝す水素処理工程を備えた光ファイバの処理方法であって、
前記水素処理工程において、前記処理容器内の水素含有ガス中の水素濃度の初期値αと、前記処理容器の周囲の雰囲気中の酸素の濃度βと、前記処理容器内の水素含有ガス中の酸素の濃度γとから、水素処理中の前記処理容器内の水素濃度δを算出し、該算出された水素濃度δに基づいて、前記処理容器内の水素濃度を制御することを特徴とする光ファイバの処理方法。
【請求項３】
前記処理容器を密閉容器とすることを特徴とする請求項１または２に記載の光ファイバの処理方法。
【請求項４】
前記密閉容器内を減圧した後に前記処理を行うことを特徴とする請求項３に記載の光ファイバの処理方法。
【発明の詳細な説明】
【技術分野】
【０００１】
本発明は、光ファイバの処理方法に関するものである。
【背景技術】
【０００２】
光ファイバをケーブル化してなる光ファイバケーブルを敷設した後、光ファイバの波長１４００ｎｍ帯における損失が増大して、光ファイバの伝送特性が劣化することがある。
【０００３】
このような光ファイバの伝送特性の劣化を抑制するために、あらかじめ光ファイバを水素または重水素に曝す光ファイバの処理方法が適用されている。
しかしながら、光ファイバを水素に曝す処理方法（水素処理）を行うと、光ファイバの波長１３８３ｎｍ付近における初期損失が増大するという問題がある。一方、光ファイバを重水素に曝す処理方法（重水素処理）を行うと、このような問題は生じない。このようなことから、目的に応じて水素処理または重水素処理を選択して施す必要がある。
【０００４】
光ファイバに重水素処理を施す場合、密閉可能な処理容器内に重水素ガスを含有するガス（以下、「重水素含有ガス」と略す。）を流し込み続けて、処理容器内の雰囲気を重水素含有ガスで置換する方法（例えば、特許文献１参照。）や、処理容器内を減圧してから処理容器内に重水素含有ガスを充填し、処理容器内の雰囲気を重水素含有ガスで置換する方法（例えば、特許文献２参照。）などが提案されている。後者の方法では、重水素含有ガスの回収を可能としている。
【０００５】
また、光ファイバに水素処理を施すための方法としては、ＩＥＣ６０７９４−３に規定されている水素試験方法が挙げられる。その水素試験方法は、光ファイバを、波長１２４０ｎｍにおける損失が０．０３ｄＢ／ｋｍ以上に増加するまで、室温で水素ガスを１％含む雰囲気、もしくは水素ガス１００％の雰囲気に曝す方法である。しかしながら、この水素試験方法では、具体的な処理方法（処理条件）については規定されていない。
【０００６】
光ファイバに重水素処理を施す場合、処理容器内に重水素含有ガスを流し込み続ける方法を用いると、処理容器内が所定の重水素濃度に達するまで重水素含有ガスを捨てながら、処理を施すこととなる。そのため、重水素処理を施す毎に、処理容器内の重水素濃度を一定とすることができる。
【０００７】
しかしながら、製造効率を向上するためには、一度に条長の長い光ファイバに処理を施さなければならず、それに伴って、光ファイバに処理を施すための処理容器の容積が大きくなる。処理容器の容積が大きくなるに従って、処理容器内の雰囲気を置換するために必要とされる重水素含有ガスの量が増大し、費用も増大してしまう。
【０００８】
一方、処理容器内を減圧してから処理容器内に重水素含有ガスを充填する方法を用いると、処理容器内を完全に真空にすることは難しいため、処理の度に処理容器内に残留した空気が重水素含有ガスと混合し、処理回数を重ねるに従って、回収される重水素含有ガス中の重水素濃度が低くなる。
【０００９】
重水素含有ガス中の重水素濃度が低くなると、光ファイバ内に重水素が十分に浸透するまでに長時間を要するだけでなく、重水素処理が不十分になるおそれがある。そのため、重水素処理の不良を防止するためには、光ファイバに重水素処理を施す際に、重水素濃度の管理が必要となる。
【００１０】
そこで、重水素濃度を測定する手段としては、例えば、可燃性ガス検知器、オプティカルガス濃度計などが挙げられる。空気ベースの重水素含有ガスを用いた場合、このような測定器により重水素濃度を測定することが可能である。なお、ここでは、ガスの組成比が大気と同様のものを空気という。
【００１１】
しかしながら、重水素含有ガスに空気が混入して、ガスの組成比が大気とは異なってしまうと、上記のような測定器により、正確に重水素濃度を測定することができなくなる。可燃性ガス検知器のような燃焼式濃度計では、重水素を燃焼させて、そのときに発生する熱量により重水素濃度を算出するため、ベースとなるガスが空気以外の窒素、アルゴン、ヘリウムなどの不活性ガスである場合には、燃焼不良となり正確に測定できない。
【００１２】
また、オプティカルガス濃度計のような光学式濃度計では、重水素含有ガスの比屈折率より重水素濃度を算出するため、ベースとなるガスの組成比が変動する場合には、正確に重水素濃度を測定することができない。
【００１３】
また、重水素含有ガスに含まれる重水素ガスの分子を分析することにより、重水素濃度を測定することは可能であるが、測定に時間がかかるために、製造コストが嵩むので好ましくない。
【特許文献１】特開２００３−１３７５８０号公報
【特許文献２】特開２００４−２２６９７９号公報
【発明の開示】
【発明が解決しようとする課題】
【００１４】
本発明は、前記事情に鑑みてなされたもので、重水素含有ガスのベースとなるガスが空気以外のガスであっても、また、ベースとなるガスの組成比が変動しても重水素濃度を正確に管理することができる光ファイバの処理方法を提供することを目的とする。
【課題を解決するための手段】
【００１５】
本発明は、光ファイバを収容した処理容器内に重水素含有ガスを導入して、前記光ファイバを重水素含有ガス雰囲気に曝す重水素処理工程を備えた光ファイバの処理方法であって、前記重水素処理工程において、前記処理容器内の重水素含有ガス中の重水素濃度の初期値Ａと、前記処理容器の周囲の雰囲気中の酸素の濃度Ｂと、前記処理容器内の重水素含有ガス中の酸素の濃度Ｃとから、重水素処理中の前記処理容器内の重水素濃度Ｄを算出し、該算出された重水素濃度Ｄに基づいて、前記処理容器内の重水素濃度を制御する光ファイバの処理方法を提供する。
【００１６】
本発明は、光ファイバを収容した処理容器内に水素含有ガスを導入して、前記光ファイバを水素含有ガス雰囲気に曝す水素処理工程を備えた光ファイバの処理方法であって、前記水素処理工程において、前記処理容器内の水素含有ガス中の水素濃度の初期値αと、前記処理容器の周囲の雰囲気中の酸素の濃度βと、前記処理容器内の水素含有ガス中の酸素の濃度γとから、水素処理中の前記処理容器内の水素濃度δを算出し、該算出された水素濃度δに基づいて、前記処理容器内の水素濃度を制御する光ファイバの処理方法を提供する。
【００１７】
上記の光ファイバの処理方法において、前記処理容器を密閉容器とすることが好ましい。
【００１８】
上記の光ファイバの処理方法において、前記密閉容器内を減圧した後に前記処理を行うことが好ましい。
【発明の効果】
【００１９】
本発明の光ファイバの処理方法によれば、光ファイバの処理に用いられるガスの濃度管理が必要な場合であって、濃度測定器の能力などにより直接濃度測定ができない場合であっても、処理容器内の被測定ガスに混入した酸素濃度を測定し、その酸素濃度から容易に被測定ガスの濃度を算出することができる。したがって、被測定ガスの濃度を知るために、わざわざ被測定ガスを採取して、ガスクロマトグラフィなどの複雑な分析装置を用いて被測定ガスの分析を行う必要がなく、その場で被測定ガスの濃度を容易に知ることができる。ゆえに、本発明の光ファイバの処理方法は、コストおよび時間の節約をすることができるため、製造上好ましい処理方法である。
【発明を実施するための最良の形態】
【００２０】
以下、本発明を実施した光ファイバの処理方法について詳細に説明する。
【００２１】
本発明の光ファイバの処理方法では、まず、光ファイバの製造過程において、光ファイバ内に生成する、非架橋酸素空孔（Ｎｏｎ−Ｂｒｉｄｇｉｎｇ  Ｏｘｙｇｅｎ  Ｈｏｌｅ  Ｃｅｎｔｅｒ、以下「ＮＢＯＨＣ」と略すこともある。）を消滅させるために、光ファイバに重水素処理または水素処理を施す（第一の実施形態から第四の実施形態）。
【００２２】
図１は、本発明に係る光ファイバの処理方法で用いられる光ファイバの処理装置の一例を示す概略構成図である。
図１中、符号１は光ファイバの処理装置、１ａは反応槽、１ｂはガス導入口、１ｃはガス導入用開閉バルブ、１ｄはガス供給用配管、１ｅは排気口、１ｆは排気用開閉バルブ、１ｇは排気用ポンプ、１ｈは差圧計、２は光ファイバ、３はボビンをそれぞれ示している。
【００２３】
この例の光ファイバの処理装置１は、反応槽１ａを少なくとも備えている。この反応槽１ａは、内部に光ファイバ２を収容できる密閉可能な容器であり、０．１ｋＰａ程度の真空状態や、常圧〜２５０ｋＰａ以下の加圧状態に耐えられる耐圧性や密封性を有するものである。
また、反応槽１ａのガス導入口１ｂには、ガス導入用開閉バルブ１ｃを介してガス供給用配管１ｄが接続されており、このガス供給用配管１ｄから反応槽１ａ内に重水素含有ガスを供給できるようになっている。
【００２４】
ここで、重水素含有ガスとは、重水素ガス単独または重水素ガスを含有する混合ガスのことである。
【００２５】
反応槽１ａの排気口１ｅには、排気用開閉バルブ１ｆを介して排気用ポンプ１ｇが接続されており、この排気用ポンプ１ｇによって反応槽１ａ内の重水素含有ガスなどを排気できるようになっている。
【００２６】
反応槽１ａには、差圧計１ｈが設けられ、反応槽１ａ内の圧力が測定できるようになっている。この差圧計１ｈの測定値に基づいて、重水素含有ガスの供給量を調整し、反応槽１ａ内を所定の圧力の重水素含有ガス雰囲気としたり、あるいは、排気用ポンプ１ｇの始動、停止を行い、反応槽１ａ内を所定の圧力の減圧雰囲気とすることができるようになっている。
【００２７】
また、反応槽１ａには、ヒータや冷却機構などの温度調整手段や、温度計、温度調整部を有し、内部温度を調整して反応槽１ａ内を４０℃以下の恒温状態とすることができるようになっている。
【００２８】
なお、反応槽１ａは、ガス導入用開閉バルブ１ｃの代わりに、ガス流量の調整が可能な電磁弁などが備えられ、反応槽１ａ内に供給する重水素含有ガスの供給量を調整できるものであってもよい。
【００２９】
次に、図１を参照して、本発明に係る光ファイバの処理方法の第一の実施形態（ＮＢＯＨＣの消滅）について説明する。
この実施形態の光ファイバの処理方法では、第一工程として、以下に示されたように光ファイバ２を減圧雰囲気に曝す。
【００３０】
まず、所定の長さの光ファイバ２を、ボビン３に巻き回す。
次いで、ボビン３に巻回された光ファイバ２を、処理装置１の反応槽１ａ内に静置する。
光ファイバ２としては、石英ガラスなどからなるものであれば特に限定されず、いかなるものでも適用可能である。
【００３１】
次いで、真空ポンプからなる排気用ポンプ１ｇを作動した後、排気用開閉バルブ１ｆを開き、反応槽１ａ内の空気を排気して反応槽１ａ内、すなわち、光ファイバ２を収容した空間内を減圧雰囲気とし、光ファイバ２を減圧雰囲気に曝す。
【００３２】
次いで、第二工程として、第一工程の後に、以下に示すように光ファイバ２を重水素含有ガス雰囲気に曝す。
【００３３】
次いで、排気用開閉バルブ１ｆを閉じた後、温度調整手段（図示略）や、温度計（図示略）、温度調整部（図示略）によって、反応槽１ａ内の温度を調整して４０℃以下の恒温状態とする。
【００３４】
次いで、ガス導入用開閉バルブ１ｃを開き、重水素含有ガスを反応槽１ａ内の減圧雰囲気中に供給する。そして、反応槽１ａ内が所定の圧力となるまで重水素含有ガスを供給して、反応槽１ａの光ファイバ２を収容した空間内を、重水素含有ガスで置換した後、ガス導入用開閉バルブ１ｃを閉じて反応槽１ａ内を密封し、この反応槽１ａ内において、光ファイバ２を、重水素含有ガス雰囲気に曝す。
【００３５】
以上により、光ファイバ２を、重水素含有ガス雰囲気に曝し、光ファイバ２をなす石英ガラス中のＮＢＯＨＣと、重水素（Ｄ２）を反応させて重水酸基（−ＯＤ）とすることにより、水酸基（−ＯＨ）の生成を阻止することができる。これにより、光ファイバ２の吸収波長帯域を、水酸基の吸収波長帯域である１．３８μｍ帯から、重水酸基の吸収波長帯域である１．８７μｍ帯、すなわち、光通信波長帯域以外に移動させることができる。ゆえに、石英ガラス中の水酸基に起因する吸収損失による光ファイバ２の伝送特性の劣化を抑制できる。
【００３６】
また、この実施形態の光ファイバの処理方法によれば、光ファイバ２が収容された反応槽１ａ内を減圧雰囲気とし、この状態の反応槽１ａ内に重水素含有ガスを供給することによって、反応槽１ａ内での重水素含有ガスの拡散速度が高められる。このため、光ファイバ２がボビン３に巻回された状態であっても、重水素含有ガスは、巻回された光ファイバ２間の微小な隙間を通り、速やかにボビン３の巻き芯近傍にまで行き渡ることになる。したがって、ボビン３の巻き芯近傍の光ファイバ２と重水素含有ガスとの接触確率を高めることができる。ゆえに、光ファイバ２の全長に渡って、十分に（均等に）重水素処理を施すことができる。
【００３７】
ＮＢＯＨＣは、容易に重水素と結合し、重水酸基となるため、ＮＢＯＨＣと重水素とが結合し重水酸基となる反応（ＮＢＯＨＣを消滅させる反応）は、ＮＢＯＨＣと重水素ガスとの接触確率によって大きく左右される。
この実施形態の光ファイバの処理方法では、上述のように、ボビン３の巻き芯近傍の光ファイバにおいて、光ファイバ２と重水素含有ガスとの接触確率を高めることができ、これによりＮＢＯＨＣと重水素との反応速度を高めることができる。
したがって、ボビン３に巻回された光ファイバ２の全域に渡ってＮＢＯＨＣと重水素との反応速度を高めることができることになり、低濃度の重水素含有ガスを用い、暴露時間を短時間としても、光ファイバの全域に渡ってＮＢＯＨＣを消滅させることができる。
【００３８】
次に、実験結果をもとに、この実施形態の光ファイバの処理方法について詳細に説明する。
図２は、ボビン３に巻回された光ファイバ２のＮＢＯＨＣの消滅遅延時間と、上記の第一工程における減圧雰囲気の圧力との関係を示す図である。
図２中、菱形の符号は、第二工程において、混合ガス雰囲気における重水素ガスの分圧を０．５ｋＰａとした場合の結果を示し、丸印の符号は、混合ガス雰囲気における重水素ガスの分圧を１．０ｋＰａとした場合の結果を示す。
【００３９】
ここで、ＮＢＯＨＣの消滅遅延時間とは、ボビン３に巻回された光ファイバ２において、最下層に位置する光ファイバ２のＮＢＯＨＣの消滅時間と、最上層に位置する光ファイバ２のＮＢＯＨＣの消滅時間との差、すなわち最上層に位置する光ファイバ２のＮＢＯＨＣの消滅時間に対する最下層に位置する光ファイバ２のＮＢＯＨＣの消滅時間の差である。
【００４０】
上記の最下層に位置する光ファイバ２とは、ボビン３に巻回された光ファイバ２のうち、ボビン３の巻き芯に直接巻かれた部分（光ファイバ２）である。一方、最上層に位置する光ファイバ２とは、ボビン３に巻回された光ファイバ２のうち、最表層に位置する部分（光ファイバ２）である。
【００４１】
ＮＢＯＨＣの消滅遅延時間が短いほど、最下層に位置する光ファイバ２のＮＢＯＨＣの消滅時間が短く（ＮＢＯＨＣを消滅させる反応が早く）、最上層に位置する光ファイバ２のＮＢＯＨＣの消滅時間に近い値であることになる。このため、ボビン３に巻回された光ファイバ２の全域に渡ってＮＢＯＨＣを消滅させるために必要となる時間が短いことを意味する。
【００４２】
光ファイバ２のＮＢＯＨＣの消滅時間とは、以下の方法により測定された結果である。
所定の時間、重水素ガスに曝された光ファイバ２について、ＮＢＯＨＣの吸収波長である０．６３μｍの光吸収量を測定し、この光吸収量からＮＢＯＨＣの残存量を測定する。
そして、重水素含有ガスへの光ファイバ２の暴露時間に対するＮＢＯＨＣの残存量の経時変化を求め、このＮＢＯＨＣの残存量の経時変化をもとにして、ＮＢＯＨＣを完全に消滅させるために必要となる重水素含有ガスへの暴露時間を推定し、ＮＢＯＨＣの消滅時間とする。
【００４３】
上記の第一工程において、減圧雰囲気の圧力は、０．０１ｋＰａ以上、７５ｋＰａ以下が好ましく、０．０１ｋＰａ以上、５０ｋＰａ以下がより好ましい。減圧雰囲気の圧力を０．０１ｋＰａ以上、７５ｋＰａ以下とすることにより、重水素含有ガスの拡散速度を高めることができ、ボビン３などに巻回された光ファイバ２の全域に渡って重水素含有ガスを行き渡らせることができる。このため、ボビン３の巻き芯近傍の光ファイバ２において、ＮＢＯＨＣと重水素ガスとの接触確率を高めることができ、ＮＢＯＨＣと重水素ガスとの反応（ＮＢＯＨＣを消滅させる反応）を促進できる。
【００４４】
以上により、最下層に位置する光ファイバ２のＮＢＯＨＣの消滅時間を短くすることができ、これにより、図２に示されたように、ＮＢＯＨＣの消滅遅延時間が大幅に低減することになる。
また、ＮＢＯＨＣと重水素ガスとの接触確率を高めることができるため、第二工程において低濃度の重水素含有ガスを用い、暴露時間を短時間としても、光ファイバ２の全域に渡ってＮＢＯＨＣを消滅させることができる。
【００４５】
特に、減圧雰囲気の圧力が０．０１ｋＰａ以上、５０ｋＰａ以下の場合、ＮＢＯＨＣの消滅遅延時間が０時間となり、最下層に位置する光ファイバ２も、最上層に位置する光ファイバ２と同等の反応速度で、ＮＢＯＨＣと重水素とを反応させ、ＮＢＯＨＣを消滅させることができる。
【００４６】
また、上記の第二工程において、光ファイバ２を、重水素ガスの分圧が０．１ｋＰａ以上、５ｋＰａ以下の重水素含有ガスに曝すことが好ましい。これにより、ボビン３などに巻回された光ファイバ２の全域に渡って、ＮＢＯＨＣを消滅させるために十分な濃度の重水素ガスを行き渡らせることができる。
重水素ガスの分圧が０．１ｋＰａ未満の場合、重水素ガスの濃度が低く、光ファイバ２の全域に渡って、ＮＢＯＨＣを消滅させることが難しくなるため、好ましくない。また、重水素ガスの分圧が５ｋＰａよりも高い場合、高濃度の重水素ガスを必要とし、製造コストが高くなるため、好ましくない。
【００４７】
また、第二工程において、光ファイバ２が収容された反応槽１ａに重水素含有ガスを供給して反応槽１ａ内の圧力を１０．１ｋＰａ以上、２０３ｋＰａ以下とし、この圧力範囲内の重水素含有ガスに光ファイバ２を曝すことが好ましい。
これにより、反応槽１ａ内での重水素含有ガスの拡散速度が高められ、重水素含有ガスを、速やかにボビン３の巻き芯近傍にまで行き渡らせることができ、ＮＢＯＨＣと重水素との反応速度を高めることができる。
【００４８】
光ファイバ２が曝される反応槽１ａ内の重水素含有ガスの圧力が、１０．１ｋＰａ未満の場合、反応槽１ａ内での重水素含有ガスの拡散速度が低く、ＮＢＯＨＣを消滅させる反応に長時間を必要とするため好ましくない。
また、光ファイバ２が曝される反応槽１ａ内の重水素含有ガスの圧力が、２０３ｋＰａよりも高い場合、高い耐圧性を有する反応槽１ａを使用する必要があり、安全面などを考慮すると反応槽１ａの取り扱いが困難となるため、好ましくない。
【００４９】
また、第二工程において、光ファイバ２を重水素含有ガスに曝す暴露時間は、１日以内であることが好ましい。これにより、ボビン３に巻回された光ファイバ２の全域に渡ってＮＢＯＨＣを消滅させることができる。
【００５０】
また、第二工程において、反応槽１ａ内の温度を４０℃以下の恒温に調整した状態で、光ファイバ２を重水素含有ガスに曝すことが好ましく、これにより、石英ガラス中のＮＢＯＨＣと重水素との反応を活発に行うことができ、短時間でＮＢＯＨＣを消滅させることができる。
反応槽１ａ内の温度が４０℃よりも高い場合、光ファイバ２の表面被覆樹脂層が熱により変質してしまうため、好ましくない。
【００５１】
図３は、本発明に係る光ファイバの処理方法で用いられる光ファイバの処理装置の他の例を示す概略構成図である。
この例の光ファイバの処理装置４は、反応槽４ａと、重水素貯蔵槽４ｂと、この反応槽４ａと重水素貯蔵槽４ｂとを接続する配管４ｃとから概略構成されている。
【００５２】
反応槽４ａは、その内部（第１空間）に光ファイバ２を収容できる密閉可能な容器であり、０．１ｋＰａ程度の真空状態や常圧〜２５０ｋＰａ以下の加圧状態に耐えられる耐圧性や密封性を有する。
【００５３】
重水素貯蔵槽４ｂは、その内部（第２空間）に重水素含有ガスを貯蔵できるタンクであり、反応槽４ａと同様に０．１ｋＰａ程度の真空状態や常圧〜２５０ｋＰａ以下の加圧状態に耐えられる耐圧性や密封性を有する。
【００５４】
重水素貯蔵槽４ｂのガス導入口４ｄには、ガス導入用開閉バルブ４ｆを介してガス供給用配管４ｇが接続されており、このガス供給用配管４ｇから反応槽４ａ内に重水素含有ガスを供給できるようになっている。
【００５５】
反応槽４ａと重水素貯蔵槽４ｂには、それぞれガス導入排出用開口部４ｈ，４ｉが設けられている。これらガス導入排出用開口部４ｈ，４ｉに、開閉バルブ４ｊ，４ｋを介して配管４ｃが接続されており、この１本の配管４ｃによって反応槽４ａと重水素貯蔵槽４ｂとが接続されている。
【００５６】
そして配管４ｃの内部（第３空間）を流路として、反応槽４ａと重水素貯蔵槽４ｂのうちいずれか一方から他方に向かって重水素含有ガスを流すことができるようになっている。配管４ｃの経路途中には、切替バルブ４ｎが設けられ、この切替バルブ４ｎには、排気用配管４ｐとガス送気手段４ｑが接続されている。
【００５７】
切替バルブ４ｎとしては、少なくとも３方向に接続部を有し、１方向の接続部から他の２方向の接続部のいずれか一方への流路の切り替えが可能なものを適用できる。切替バルブ４ｎとしては、例えば、３方弁や３方向電磁バルブなどが挙げられる。
また、ガス送気手段４ｑとしては、スクロール型真空ポンプや、ダイアフラム型ドライ真空ポンプなどの加圧減圧両用型ポンプを適用できる。
【００５８】
以下、本明細書中、配管のうち、切替バルブ４ｎから反応槽４ａのガス導入排出用開口部４ｈまでの経路を反応槽側配管４ｒと言い、切替バルブ４ｎから重水素貯蔵槽４ｂのガス導入排出開口部４ｉまでの経路を重水素貯蔵槽側配管４ｓと言う。
【００５９】
この実施形態では、切替バルブ４ｎによって、反応槽側配管４ｒ、重水素貯蔵槽側配管４ｓ、排気用配管４ｐのうち１経路から、他の２方向の経路のいずれか一方への経路の切り替えが可能であり、かつ、ガス送気手段４ｑによって、切り替えられた２つの経路のうち、一方の方向から他方の方向へガスを送気できるようになっている。
【００６０】
反応槽４ａには、差圧計４ｔが設けられ、反応槽４ａ内の圧力が測定できるようになっており、この測定値に基づいてガス送気手段４ｑを用いて、重水素含有ガスの供給量を調整して反応槽４ａ内を所定の圧力の重水素含有ガス雰囲気としたり、反応槽４ａ内を所定の圧力の減圧雰囲気とすることができるようになっている。
【００６１】
また、反応槽４ａには、ヒータや冷却機構などの温度調整手段（図示略）や、温度計（図示略）、温度調整部（図示略）が備えられ、内部温度を調整して反応槽４ａ内を４０℃以下の恒温状態とすることができるようになっている。
【００６２】
次に、図３を参照して、本発明に係る光ファイバの処理方法の第二の実施形態について説明する。
この実施形態の光ファイバの処理方法では、第一工程として、以下に示されたように光ファイバ２を減圧雰囲気に曝す。
【００６３】
まず、反応槽４ａ内に、ボビン３に巻回された光ファイバ２を静置する。反応槽４ａ内の温度を調整して４０℃以下とする。そして、反応槽側配管４ｒと排気用配管４ｐとが接続された状態となるように切替バルブ４ｎを切り替える。
次いで、反応槽側配管４ｒの開閉バルブ４ｊを開き、ガス送気手段４ｑによって、反応槽４ａ内の空気を排気用配管４ｐへ排気し、反応槽４ａ内、すなわち光ファイバ２を収容した第１空間内を減圧雰囲気とし、光ファイバ２を減圧雰囲気に曝す。
【００６４】
次いで、第二工程として、第一工程の後に、以下に示されたように光ファイバ２を重水素含有ガス雰囲気に曝す。
あらかじめ重水素貯蔵槽４ｂ内に、所定の濃度の重水素ガスを含む重水素含有ガスが所定の圧力で充填された状態としておく。
【００６５】
次いで、反応槽側配管４ｒの開閉バルブ４ｊを閉じた後、反応槽側配管４ｒと重水素貯蔵槽側配管４ｓとが接続された状態となるように切替バルブ４ｎを切り替える。そして、反応槽側配管４ｒの開閉バルブ４ｊと重水素貯蔵槽側配管４ｓの開閉バルブ４ｋを開け、配管４ｃを介して反応槽４ａと重水素貯蔵槽４ｂとが繋がった状態とする。
【００６６】
このようにすることにより、重水素貯蔵槽４ｂの重水素含有ガスは、配管４ｃの内部（第３空間）を流路として、減圧雰囲気の反応槽４ａに流れる。
【００６７】
次いで、反応槽４ａ内が所定の圧力となったら、反応槽側配管４ｒの開閉バルブ４ｊと重水素貯蔵槽側配管４ｓの開閉バルブ４ｋを閉じて反応槽４ａ内を密封し、この反応槽４ａ内において、光ファイバ２を重水素含有ガス雰囲気に曝す。
【００６８】
以上により、光ファイバ２を重水素含有ガスに曝し、石英ガラス中のＮＢＯＨＣと重水素とを結合させて重水酸基とし、ＮＢＯＨＣを消滅させることができる。
【００６９】
次いで、反応槽側配管４ｒと重水素貯蔵槽側配管４ｓとが接続された状態となるように切替バルブ４ｎを切り替える。開閉バルブ４ｊ，４ｋを開け、反応槽４ａと重水素貯蔵槽４ｂとが配管４ｃを介して繋がった状態とし、ガス送気手段４ｑを作動させ、反応槽４ａ内の重水素含有ガスを重水素貯蔵槽４ｂに送り出し、反応槽４ａ内を真空状態とする。
【００７０】
次いで、反応槽側配管４ｒの開閉バルブ４ｊを閉じ、反応槽４ａ内に大気を導入後、この反応槽４ａ内から光ファイバ２を取り出す。
【００７１】
以上により、一度使用した重水素含有ガスを排気せずに、重水素貯蔵槽４ｂに貯めておき、別の光ファイバ２の重水素処理に利用できる。
【００７２】
図４は、光ファイバの処理装置４を用いて、重水素含有ガスを繰り返し使用して光ファイバ２を処理したときの重水素含有ガス中の重水素ガスの分圧の変化を示す図である。
【００７３】
光ファイバの処理装置４を用いた場合、３０回繰り返し重水素処理を行っても、重水素の分圧の維持率は７０％以上であり、十分重水素処理を行える濃度であった。
このように、重水素含有ガスを繰り返し使用でき、この重水素ガスに係るランニングコストを大幅に低減でき、安価に重水素処理が可能となる。
【００７４】
次に、図１を参照して、本発明に係る光ファイバの処理方法の第三の実施形態について説明する。
この実施形態の光ファイバの処理方法は、重水素処理によりＮＢＯＨＣを消滅させた光ファイバに、敷設後の損失の増大を抑制するために施されるものである。
この実施形態の光ファイバの処理方法では、まず、所定の長さの光ファイバ２を、ボビン３に巻き回す。
次いで、ボビン３に巻回された光ファイバ２を、処理装置１の反応槽１ａ内に静置する。
【００７５】
次いで、排気用開閉バルブ１ｆを閉じた後、温度調整手段（図示略）や、温度計（図示略）、温度調整部（図示略）によって、反応槽１ａ内の温度を調整して４０℃以下の恒温状態とする。
【００７６】
次いで、ガス導入用開閉バルブ１ｃを開き、重水素含有ガスを反応槽１ａ内に供給し、この反応槽１ａ内の重水素含有ガス雰囲気中の重水素濃度が一定となるように制御しながら、反応槽１ａ内において、光ファイバ２を、重水素含有ガス雰囲気に曝す。
【００７７】
この実施形態では、上記の重水素処理工程において、まず、反応槽１ａの周囲の雰囲気（空気）中の酸素の濃度Ｂを測定する。次に、反応槽１ａ内の重水素含有ガス中の酸素の濃度Ｃを測定する。
これらの測定結果と、反応槽（処理容器）１ａ内の重水素含有ガス中の重水素濃度の初期値Ａとから、重水素処理中の反応槽１ａ内の重水素濃度Ｄを、下記の式（１）によって算出する。算出された重水素濃度Ｄに基づいて、反応槽１ａ内の重水素濃度を、反応槽１ａ内の光ファイバ２の重水素処理を十分に行うために必要とされる濃度に保つ。すなわち、反応槽１ａ内の重水素濃度が重水素処理に必要とされる濃度に達していない場合には、ガス導入用開閉バルブ１ｃを開き、重水素含有ガスを反応槽１ａ内に供給する。一方、反応槽１ａ内の重水素濃度が重水素処理に必要とされる濃度を超えている場合には、ガス導入用開閉バルブ１ｃを閉じて、重水素含有ガスを反応槽１ａ内に供給するのを停止する。
【００７８】
（重水素処理中の処理容器内の重水素濃度Ｄ）＝（処理容器内の重水素含有ガス中の重水素濃度の初期値Ａ）×（１−処理容器内の重水素含有ガス中の酸素の濃度Ｃ／処理容器の周囲の雰囲気（空気）中の酸素の濃度Ｂ）                                （１）
【００７９】
反応槽１ａの周囲の雰囲気（空気）中の酸素の濃度Ｂ、および、反応槽１ａ内の重水素含有ガス中の酸素の濃度Ｃを測定するためには、酸素濃度計が用いられる。酸素濃度計としては、例えば、ＴＯＲＡＹ社製ＬＣ−７５０や、ＹＯＫＯＧＡＷＡ社酸素濃度計ＯＸ６１などが用いられる。
【００８０】
このように、反応槽１ａの周囲の雰囲気（空気）中の酸素の濃度Ｂ、および、反応槽１ａ内の重水素含有ガス中の酸素の濃度Ｃを測定することにより、反応槽１ａ内に混入した空気の量を算出し、その算出値から、現在の反応槽１ａ内の重水素濃度を算出することができる。重水素処理のように、光ファイバの処理に用いられるガスが可燃性ガス（重水素）であると、爆発などの危険性があるため、従来の燃焼式濃度計や光学式濃度計を用いた重水素濃度の測定は管理上好ましくない。そこで、ベースとなるガスとして重水素含有ガスを使用する場合、反応槽１ａ内の重水素含有ガスに混入した空気、特に酸素の濃度を測定することにより、現在の反応槽１ａ内の重水素濃度を算出する。なぜならば、重水素濃度が低くなる原因は、重水素処理時に反応槽１ａ内の重水素含有ガスに混入する空気にあるからである。したがって、反応槽１ａ内の重水素含有ガスに混入した空気（酸素）の量（濃度）を知ることができれば、現在の重水素反応槽１ａ内の重水素濃度を知ることができる。
【００８１】
以上により、この実施形態の光ファイバの処理方法によれば、爆発などの危険性がなく、安全に、反応槽１ａ内のベースとなるガス（重水素含有ガス）の組成比が変動しても、重水素濃度を正確に管理することができる。
【００８２】
また、この実施形態の光ファイバの処理方法では、反応槽１ａを密閉容器とすることが好ましい。反応槽１ａを密閉容器とすれば、反応槽１ａ内において光ファイバ２の重水素処理を行う前に、反応槽１ａ内を減圧雰囲気とすることができる。
【００８３】
さらに、この実施形態の光ファイバの処理方法では、反応槽１ａ内を減圧雰囲気とした後、光ファイバ２の重水素処理を行うことが好ましい。
【００８４】
ここで、この実施形態において、反応槽１ａ内を減圧雰囲気とした後、光ファイバ２の重水素処理を行う方法について説明する。
光ファイバ２を、処理装置１の反応槽１ａ内に静置した後、真空ポンプからなる排気用ポンプ１ｇを作動した後、排気用開閉バルブ１ｆを開き、反応槽１ａ内の空気を排気して反応槽１ａ内、すなわち、光ファイバ２を収容した空間内を減圧雰囲気とし、光ファイバ２を減圧雰囲気に曝す。
【００８５】
次いで、反応槽１ａ内の温度を調整して４０℃以下の恒温状態とした後、ガス導入用開閉バルブ１ｃを開き、重水素含有ガスを反応槽１ａ内の減圧雰囲気中に供給する。そして、反応槽１ａ内が所定の圧力となるまで重水素含有ガスを供給して、反応槽１ａの光ファイバ２を収容した空間内を、重水素含有ガスで置換した後、ガス導入用開閉バルブ１ｃを閉じて反応槽１ａ内を密封し、この反応槽１ａ内において、光ファイバ２を、重水素含有ガス雰囲気に曝す。
【００８６】
このように、光ファイバ２が収容された反応槽１ａ内を減圧雰囲気とし、この状態の反応槽１ａ内に重水素含有ガスを供給することによって、反応槽１ａ内での重水素含有ガスの拡散速度が高められる。このため、光ファイバ２がボビン３に巻回された状態であっても、重水素含有ガスは、巻回された光ファイバ２間の微小な隙間を通り、速やかにボビン３の巻き芯近傍にまで行き渡ることになる。したがって、ボビン３の巻き芯近傍の光ファイバ２と重水素含有ガスとの接触確率を高めることができる。ゆえに、光ファイバ２の全長に渡って、十分に（均等に）重水素処理を施すことができる。
【００８７】
また、この光ファイバの処理方法の第三の実施形態は、被測定ガスが重水素以外の水素、窒素をはじめとする酸素以外の気体についても適用することができる。
【００８８】
次に、図１を参照して、本発明に係る光ファイバの処理方法の第四の実施形態について説明する。
この実施形態の光ファイバの処理方法は、水素処理によりＮＢＯＨＣを消滅させた光ファイバに、敷設後の損失の増大を抑制するために施されるものである。
この実施形態の光ファイバの処理方法では、まず、所定の長さの光ファイバ２を、ボビン３に巻き回す。
次いで、ボビン３に巻回された光ファイバ２を、処理装置１の反応槽１ａ内に静置する。
【００８９】
次いで、排気用開閉バルブ１ｆを閉じた後、温度調整手段（図示略）や、温度計（図示略）、温度調整部（図示略）によって、反応槽１ａ内の温度を調整して４０℃以下の恒温状態とする。
【００９０】
次いで、ガス導入用開閉バルブ１ｃを開き、水素含有ガスを反応槽１ａ内に供給し、この反応槽１ａ内の水素含有ガス雰囲気中の水素濃度が一定となるように制御しながら、反応槽１ａ内において、光ファイバ２を、水素含有ガス雰囲気に曝す。
【００９１】
この実施形態では、上記の水素処理工程において、まず、反応槽１ａの周囲の雰囲気（空気）中の酸素の濃度βを測定する。次に、反応槽１ａ内の水素含有ガス中の酸素の濃度γを測定する。
これらの測定結果と、反応槽（処理容器）１ａ内の水素含有ガス中の水素濃度の初期値αとから、水素処理中の反応槽１ａ内の水素濃度δを、下記の式（２）によって算出する。算出された水素濃度δに基づいて、反応槽１ａ内の水素濃度を、反応槽１ａ内の光ファイバ２の水素処理を十分に行うために必要とされる濃度に保つ。すなわち、反応槽１ａ内の水素濃度が水素処理に必要とされる濃度に達していない場合には、ガス導入用開閉バルブ１ｃを開き、水素含有ガスを反応槽１ａ内に供給する。一方、反応槽１ａ内の水素濃度が水素処理に必要とされる濃度を超えている場合には、ガス導入用開閉バルブ１ｃを閉じて、水素含有ガスを反応槽１ａ内に供給するのを停止する。
【００９２】
（水素処理中の処理容器内の水素濃度δ）＝（処理容器内の水素含有ガス中の水素濃度の初期値α）×（１−処理容器内の水素含有ガス中の酸素の濃度γ／処理容器の周囲の雰囲気（空気）中の酸素の濃度β）                                （２）
【００９３】
反応槽１ａの周囲の雰囲気（空気）中の酸素の濃度β、および、反応槽１ａ内の水素含有ガス中の酸素の濃度γを測定するためには、酸素濃度計が用いられる。酸素濃度計としては、例えば、ＴＯＲＡＹ社製ＬＣ−７５０や、ＹＯＫＯＧＡＷＡ社酸素濃度計ＯＸ６１などが用いられる。
【００９４】
このように、反応槽１ａの周囲の雰囲気（空気）中の酸素の濃度β、および、反応槽１ａ内の水素含有ガス中の酸素の濃度γを測定することにより、反応槽１ａ内に混入した空気の量を算出し、その算出値から、現在の反応槽１ａ内の水素濃度を算出することができる。水素処理のように、光ファイバの処理に用いられるガスが可燃性ガス（水素）であると、爆発などの危険性があるため、従来の燃焼式濃度計や光学式濃度計を用いた水素濃度の測定は管理上好ましくない。そこで、ベースとなるガスとして水素含有ガスを使用する場合、反応槽１ａ内の水素含有ガスに混入した空気、特に酸素の濃度を測定することにより、現在の反応槽１ａ内の水素濃度を算出する。なぜならば、水素濃度が低くなる原因は、水素処理時に反応槽１ａ内の水素含有ガスに混入する空気にあるからである。したがって、反応槽１ａ内の水素含有ガスに混入した空気（酸素）の量（濃度）を知ることができれば、現在の水素反応槽１ａ内の水素濃度を知ることができる。
【００９５】
以上により、この実施形態の光ファイバの処理方法によれば、爆発などの危険性がなく、安全に、反応槽１ａ内のベースとなるガス（水素含有ガス）の組成比が変動しても、水素濃度を正確に管理することができる。
【００９６】
また、この実施形態の光ファイバの処理方法では、反応槽１ａを密閉容器とすることが好ましい。反応槽１ａを密閉容器とすれば、反応槽１ａ内において光ファイバ２の水素処理を行う前に、反応槽１ａ内を減圧雰囲気とすることができる。
【００９７】
さらに、この実施形態の光ファイバの処理方法では、反応槽１ａ内を減圧雰囲気とした後、光ファイバ２の水素処理を行うことが好ましい。
【００９８】
ここで、この実施形態において、反応槽１ａ内を減圧雰囲気とした後、光ファイバ２の水素処理を行う方法について説明する。
光ファイバ２を、処理装置１の反応槽１ａ内に静置した後、真空ポンプからなる排気用ポンプ１ｇを作動した後、排気用開閉バルブ１ｆを開き、反応槽１ａ内の空気を排気して反応槽１ａ内、すなわち、光ファイバ２を収容した空間内を減圧雰囲気とし、光ファイバ２を減圧雰囲気に曝す。
【００９９】
次いで、反応槽１ａ内の温度を調整して４０℃以下の恒温状態とした後、ガス導入用開閉バルブ１ｃを開き、水素含有ガスを反応槽１ａ内の減圧雰囲気中に供給する。そして、反応槽１ａ内が所定の圧力となるまで水素含有ガスを供給して、反応槽１ａの光ファイバ２を収容した空間内を、水素含有ガスで置換した後、ガス導入用開閉バルブ１ｃを閉じて反応槽１ａ内を密封し、この反応槽１ａ内において、光ファイバ２を、水素含有ガス雰囲気に曝す。
【０１００】
このように、光ファイバ２が収容された反応槽１ａ内を減圧雰囲気とし、この状態の反応槽１ａ内に水素含有ガスを供給することによって、反応槽１ａ内での水素含有ガスの拡散速度が高められる。このため、光ファイバ２がボビン３に巻回された状態であっても、水素含有ガスは、巻回された光ファイバ２間の微小な隙間を通り、速やかにボビン３の巻き芯近傍にまで行き渡ることになる。したがって、ボビン３の巻き芯近傍の光ファイバ２と水素含有ガスとの接触確率を高めることができる。ゆえに、光ファイバ２の全長に渡って、十分に（均等に）水素処理を施すことができる。
【０１０１】
以下、実験例により本発明をさらに具体的に説明するが、本発明は以下の実験例に限定されるものではない。
【０１０２】
（実験例）
図１に示した光ファイバの処理装置と同様の装置を用いて、光ファイバに重水素処理を施した。
光ファイバの重水素処理を繰り返し、その時の反応槽内の重水素濃度をオプティカル濃度計（理研計器社製、ＦＩ−２１）により測定し、反応槽内の酸素濃度を酸素濃度計（ＴＯＲＡＹ社製、ＬＣ−７５０Ｈ）により測定し、反応槽内の重水素のガスクロマトグラフィ分析を行った。
なお、重水素ガスは、ベースとなるガスとして、窒素ガスを用いた。
測定結果を図５に示す。
なお、図５において、重水素濃度（計算値）とは、本実験例において測定した反応槽内の酸素濃度と、上記の式（１）とから算出した値である。また、重水素濃度（分析値）とは、本実験例においてガスクロマトグラフィ分析により得られた値である。さらに、酸素濃度（測定値）とは、本実験例において測定した反応槽内の酸素濃度の値である。
【０１０３】
図５の結果から、酸素濃度計により測定した反応槽内の酸素濃度の値から、上記の式（１）を用いて、反応槽内の重水素濃度を求めることによって容易に、ガスクロマトグラフィ分析により反応槽内の重水素を分析した場合と同様に、重水素濃度を測定することができることが確認された。
【産業上の利用可能性】
【０１０４】
本発明の光ファイバの処理方法は、重水素、水素以外のその他の処理ガスを用いるときにも適用できる。
【図面の簡単な説明】
【０１０５】
【図１】光ファイバの処理装置の一例を示す概略構成図である。
【図２】非架橋酸素中心の消滅遅延時間と、第一工程における減圧雰囲気の圧力との関係を示す図である。
【図３】本発明の光ファイバ処理装置の一例を示す概略構成図である。
【図４】重水素含有ガスを繰り返し使用して光ファイバを重水素処理したときの重水素含有ガス中の重水素ガスの分圧の維持率と処理回数との関係を示す図である。
【図５】本発明の実験例における重水素濃度の測定結果を示すグラブである。
【符号の説明】
【０１０６】
１，４・・・光ファイバの処理装置、１ａ，４ａ・・・反応槽、１ｂ・・・ガス導入口、１ｃ・・・ガス導入用開閉バルブ、１ｄ・・・ガス供給用配管、１ｅ・・・排気口、１ｆ・・・排気用開閉バルブ、１ｇ・・・排気用ポンプ、１ｈ，４ｔ・・・差圧計、２・・・光ファイバ、３・・・ボビン、４ｂ・・・重水素貯蔵槽、４ｃ・・・配管、４ｄ・・・ガス導入口、４ｆ・・・ガス導入用開閉バルブ、４ｇ・・・ガス供給用配管、４ｈ，４ｉ・・・ガス導入排出用開口部、４ｊ，４ｋ・・・開閉バルブ、４ｎ・・・切替バルブ、４ｐ・・・排気用配管、４ｑ・・・ガス送気手段、４ｒ・・・反応槽側配管、４ｓ・・・重水素貯蔵槽側配管。
【図１】
2005208586.tif 000003
【図２】
2005208586.tif 000004
【図３】
2005208586.tif 000005
【図４】
2005208586.tif 000006
【図５】
2005208586.tif 000007